(57)【要約】【課題】ターンテーブルに負荷される回転中心線方向力や回転シャフトの回転トルクに対し長期間強い抵抗力を発揮し、回転シャフトとターンテーブル間に所望の接着強度を常に確実に得られるディスクドライブ装置、ディスク状光記録媒体ピックアップ装置及びディスクドライブ装置の製造方法を提供することである。【解決手段】ディスクドライブ装置５０は、ディスク状媒体５４を支持するターンテーブル５６と、ターンテーブルのボス５２が固定される回転シャフト５８と、を具備し、ボスに形成されている回転シャフト挿入用の回転中心孔６２の内周面のディスク側は回転シャフト外周面が嵌合する嵌合部に、内周面のボス側は回転シャフト外周面に沿い連続したクリアランス６２ｂを創出するように形成され、ボス側は外部空間に開口した拡径部６２ｃを有し、クリアランス及び拡大径部中に接着剤６４が充填されている。【選択図】    図３
2004213715.tif 000002
【特許請求の範囲】
【請求項１】
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側から回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
クリアランス及び拡径部には接着剤が充填されていることを特徴とするディスクドライブ装置。
【請求項２】
前記拡径部は、ボスの外周面まで貫通しているともに、ボスの端面にも開口しているスリットであることを特徴とする請求項１に記載のディスクドライブ装置。
【請求項３】
前記拡径部は、ボスの端面に開口しているとともにボスの外周面まで貫通しておらず、ボスにおいて拡径部の径方向外端とボスの外周面との間の部分はボスの円周方向につながっていることを特徴とする請求項１に記載のディスクドライブ装置。
【請求項４】
前記ボスの内周面の一端面側は内周面の円周方向に相互に等間隔に離間した複数の位置に上記拡径部を複数有していることを特徴とする請求項１ないし３のいずれか１項に記載のディスクドライブ装置。
【請求項５】
前記回転シャフトに固定されたターンテーブルのボスの端面に対向したテーブル座部が回転シャフトに備えられていることを特徴とする請求項１ないし４のいずれか１項に記載のディスクドライブ装置。
【請求項６】
前記回転シャフトに固定されたターンテーブルのボスの端面に隣接して配置され、前記端面におけるクリアランス及びスリットの開口を閉塞するテーブル座部が回転シャフトに備えられていることを特徴とする請求項２に記載のディスクドライブ装置。
【請求項７】
前記テーブル座部は、ワッシャであることを特徴とする請求項５もしくは６に記載のディスクドライブ装置。
【請求項８】
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側から回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
クリアランス及び拡径部には接着剤が充填されることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備えることを特徴とするディスクドライブ装置。
【請求項９】
ディスク状光記録媒体の信号記録層には光ビームを使用して信号を記録することが可能であり、
ディスク状光記録媒体の信号記録層に光ビームを使用して信号を記録する信号記録装置を備えることを特徴とする請求項８に記載のディスクドライブ装置。
【請求項１０】
前記ディスク状光記録媒体は、ＤＶＤであることを特徴とする請求項８または９に記載のディスクドライブ装置。
【請求項１１】
ターンテーブルのボスの回転中心孔に挿入される回転シャフトの外周面の領域に接着剤を塗布する工程と、
ターンテーブルのボスの回転中心孔に回転シャフトの上記領域を挿入する工程と、
を備え、
前記挿入工程において、回転シャフトの上記領域に塗布されていた接着剤がボスの回転中心孔の内周面の上記他端面側によりボスの回転中心孔の内周面の前記一端面側の
クリアランスが接着剤により満たされるとともに、
クリアランスに満たされた接着剤がクリアランス内の空気を拡径部から外部空間に逃がしながら拡径部中に侵入し、
ターンテーブルのボスの回転中心孔の内周面の他端部側が回転中心孔に挿入された回転シャフトの外周面に嵌合されるとともに回転中心孔の内周面の他端部側のクリアランスを満たすとともにクリアランスから拡径部に侵入した接着剤により回転中心孔の内周面の他端部側及び拡径部が回転シャフトに接着されることを特徴とするディスクドライブ装置の製造方法。
【請求項１２】
前記回転シャフトの外周面の上記領域に接着剤が塗布される前に、回転シャフトがターンテーブルのボスの回転中心孔に挿入される時の先端とは反対側に位置する上記領域の端に隣接した位置で回転シャフトにテーブル座部を固定する工程が備えられ、
ターンテーブルのボスの回転中心孔に回転シャフトの外周面の上記領域が挿入さた後に、テーブル座部がボスの端面に対向するともにボスの上記端面における上記クリアランスの開口又は、上記クリアランス及び拡径部の開口に露出した接着剤によってボスの端面に接着されることを特徴とする請求項１１に記載のディスクドライブ装置の製造方法。
【請求項１３】
前記接着剤は、瞬間接着剤であることを特徴とする請求項１１または１２に記載のディスクドライブ装置の製造方法。
【請求項１４】
前記拡径部は、ボスの外周面まで貫通し、前記接着剤は、ＵＶ硬化性を有することを特徴とする請求項１１ないし１３のいずれか１項に記載のディスクドライブ装置の製造方法。
【発明の詳細な説明】
【０００１】
【発明の属する技術分野】
本発明は、一端面にボスを有しており他端面にディスク状媒体を同心的に支持するターンテーブルと、ターンテーブルのボスが同心的に固定されターンテーブルを回転させる回転シャフトと、を具備したディスクドライブ装置、このようなディスクドライブ装置を備えたディスク状光記録媒体ピックアップ装置、及びこのようなディスクドライブ装置の製造方法に関係している。
【０００２】
【従来の技術】
一般に、例えばＣＤやＤＶＤなどのディスク状媒体の一種であるディスク状光記録媒体の信号記録層からの信号の読み取り及び／または上記信号記録層への信号の記録を光ビームを介して行なう例えばＣＤプレーヤやＤＶＤプレーヤなどにおいては、ディスク状媒体を回転させるディスクドライブ装置は、一端面にボスを有しており他端面にディスク状媒体を同心的に支持するターンテーブルと、ターンテーブルを回転させる回転シャフトと、を備えている。そして回転シャフトは、通常はモーターの出力軸である。このようなディスクドライブ装置では、ディスク状媒体を高速で安定して精度良く回転させる必要があるので、ターンテーブルの他端面上に同心的に支持されたディスク状媒体はその回転中心部が上方からさらにクランパにより上記他端面上に押さえられる。従ってターンテーブルが回転されるときには、ターンテーブルのボスとモーターの出力軸である回転シャフトとの間に、クランパによる上方からの押圧力と、回転シャフトの回転による回転トルクとが負荷される。
【０００３】
ディスク状媒体がディスク状光記録媒体の一種であるＤＶＤであるディスク状光記録媒体ピックアップ装置において使用されるディスクドライブ装置の場合には、ディスク状媒体がディスク状光記録媒体の一種であるＣＤであるディスク状光記録媒体ピックアップ装置において使用されるディスクドライブ装置の場合に比べ、より高速で安定して高精度に回転されることが求められている。この為には、ターンテーブルを回転シャフトに対しより確実に精度良く固定する必要がある。
【０００４】
回転シャフトに対しターンテーブルのボスの回転中心孔を固定する構造としては、圧入による嵌合のみを利用する固定構造と、圧入による嵌合及び接着剤による接着を利用した固定構造とが従来知られている。このうち圧入による嵌合のみを利用した固定構造は、圧入による嵌合及び接着剤による接着を利用した固定構造に比べ、上記回転トルクと上記押圧力とに対する強度が低いし、このような低い強度は所謂経年変化により特に著しくなる。
【０００５】
圧入による嵌合及び接着剤による接着を利用した固定構造は、例えば特開平１１−１７６０７７号公報により広く知られている。この公報に開示されている固定構造では、ディスクを同心的に支持するターンテーブルがモーターのロータの回転シャフトに圧入され嵌合されることにより固定（第１の固定手段）されているとともに、ターンテーブルにおいてロータと対面した端面がロータにおいてターンテーブルと対面した端面と接着剤（第２の固定手段）で固定されている。この公報に開示されている固定構造では、ターンテーブルとロータとが回転シャフトの回転中心線から回転シャフトの半径方向において離れた位置で接着剤によって相互に固定されているので、接着剤がターンテーブル及びロータの回転バランスを崩し易く、また使用する接着剤の量も比較的多くなっている。
【０００６】
圧入による嵌合と接着剤による接着との組み合わせによってターンテーブルと回転シャフトとを固定する構造を有したディスクドライブ装置の他の従来例が図１中に示されている。なお、図１の（Ａ）は、この従来例の概略的な縦断面図であり；図１の（Ｂ）は、図１の（Ａ）の１Ｂ−１Ｂ線に沿った水平断面図である。
【０００７】
この従来のディスクドライブ装置１０は、一端面にボス１２を有しており他端面に例えばＣＤやＤＶＤのようなディスク状媒体の一種であるディスク状光記録媒体１４を同心的に支持するターンテーブル１６と、ターンテーブル１６のボス１２が同心的に固定されターンテーブル１６を回転させる回転シャフト１８と、を備えている。回転シャフト１８は、モーター２０の出力軸である。
【０００８】
ボス１２には回転シャフト１８が圧入され嵌合される回転中心孔１２ａが形成されていて、回転中心孔１２ａの内周面において上述した他端面側は円錐形状に面取りされて接着剤だまり１２ｂを構成している。
【０００９】
この従来のディスクドライブ装置１０では、ターンテーブル１６のボス１２の回転中心孔１２ａ中に回転シャフト１８が圧入されて嵌合された後に、接着剤だまり１２ｂに接着剤２２を充填してターンテーブル１６と回転シャフト１８とを接着している。
【００１０】
しかしながら、このような固定構造の場合、ターンテーブル１６の他端面上に支持されているディスク状光記録媒体１４に対し図示されていないクランパによってターンテーブル１６の他端面側から一端面側に向かい回転シャフト１８の回転中心線に沿い負荷される押圧力に対する抵抗力が比較的弱く、比較的長期間の使用の後にはターンテーブル１６のボス１２の回転中心孔１２ａの接着剤たまり１２ｂ中の接着剤２２と回転シャフト１８との間の接着が剥離しやすい。また、通常、接着強度は接着されるもの（この従来例では、ターンテーブル１６のボス１２の回転中心孔１２ａの内周面と回転シャフト１８の外周面）相互間で接着剤が介在される隙間が小さい方が強いので、この従来例では、回転シャフト１８の回転によってターンテーブル１６のボス１２の回転中心孔１２ａの内周面と回転シャフト１８の外周面との間に生じる回転トルクによっても、比較的長期間の使用の後にはやはり上記接着がはがれ易い。
【００１１】
図２には、圧入による嵌合と接着剤による接着との組み合わせによってターンテーブルと回転シャフトとを固定する構造を有したディスクドライブ装置のもう１つの他の従来例を示している。なお、図２の（Ａ）は、このもう１つの従来例の概略的な縦断面図であり；図２の（Ｂ）は、図２の（Ａ）の２Ｂ−２Ｂ線に沿った水平断面図である。
【００１２】
このもう１つの従来のディスクドライブ装置３０もまた、一端面にボス３２を有しており他端面に例えばＣＤやＤＶＤのようなディスク状媒体の一種であるディスク状光記録媒体３４を同心的に支持するターンテーブル３６と、ターンテーブル３６のボス３２が同心的に固定されターンテーブル３６を回転させる回転シャフト３８と、を備えている。回転シャフト３８は、モーター４０の出力軸である。
【００１３】
このもう１つの従来のディスクドライブ装置３０では、図１に示された従来のディスクドライブ装置１０の前述した構造上の欠点を解消するように、ボス３２に形成されていて回転シャフト３８が圧入され嵌合される回転中心孔３２ａの内周面において上述した一端面側に回転中心孔３２ａの内周面の全周に亘り回転中心孔３２ａの回転中心線から半径方向に所定距離離れたクリアランスにより接着剤だまり３２ｂが形成されている。
【００１４】
このもう１つの従来のディスクドライブ装置３０では、ターンテーブル３６のボス３２の回転中心孔３２ａ中に回転シャフト３８が圧入されて嵌合される以前に、回転中心孔３２ａに挿入される回転シャフト３８の外周面の領域に接着剤４２が塗布される。そして、上記圧入の際に接着剤４２が接着剤たまり３２ｂ中に充填されるようになっている。
【００１５】
このような構成のもう１つの従来のディスクドライブ装置３０では、図１を参照して前述した従来のディスクドライブ装置１０の場合に比べると、ターンテーブル３６の他端面上に支持されているディスク状光記録媒体３４に対し図示されていないクランパによってターンテーブル３６の他端面側から一端面側に向かい回転シャフト３８の回転中心線に沿い負荷される押圧力に対する抵抗力が比較的強く、比較的長期間の使用の後でもターンテーブル３６のボス３２の回転中心孔３２ａの接着剤たまり３２ｂ中の接着剤４２と回転シャフト３８との間の接着が剥離し難い。また、通常、接着強度は接着されるもの（この従来例では、ターンテーブル３６のボス３２の回転中心孔３２ａの内周面と回転シャフト１８の外周面）相互間で接着剤が介在される隙間が小さい方が強いので、このもう１つの従来例では、回転シャフト３８の回転によってターンテーブル３６のボス１２の回転中心孔３２ａの内周面と回転シャフト３８の外周面との間に生じる回転トルクによっても、比較的長期間の使用の後にはやはり上記接着がはがれ難い。
【００１６】
しかしながら、このもう１つの従来例では、ターンテーブル３６のボス３２の回転中心孔３２ａ中に回転シャフト３８が圧入され際に、接着剤たまり３２ｂにおける上記一端面側のボス３２の端面の開口が回転シャフト３８の外周面に塗布されている接着剤４２により塞がれてしまい、接着剤たまり３２ｂ中の空気が上記開口から逃げることが出来ず、その結果として接着剤たまり３２ｂの全体を接着剤４２により充填することが出来ず、ターンテーブル３６のボス１２の回転中心孔３２ａの内周面と回転シャフト３８の外周面とを接着剤４２により所望の強度で接着できないこともあった。
【００１７】
【特許文献１】
特開平１１−１７６０７７
【００１８】
【発明が解決しようとする課題】
本発明の目的は、ターンテーブルに対しディスク状媒体を支持している一端面側から他他面側に向かい回転シャフトの回転中心線に沿い負荷される力に対し従来よりも強い抵抗力を長期間に渡り発揮することが出来るとともに、回転シャフトの回転に伴ない回転シャフトの外周面とターンテーブルのボスの回転中心孔の内周面との間に生じる回転トルクに対しても長期間に渡り強い抵抗力を発揮することができ、しかも回転シャフトの外周面とターンテーブルのボスの回転中心孔の内周面との間に所望の接着強度を常に確実に得ることが出来るディスクドライブ装置を提供することである。
【００１９】
本発明のもう１つの目的は、このようなディスクドライブ装置を使用したディスク状光記録媒体ピックアップ装置を提供することである。
【００２０】
本発明のさらにもう１つの目的は、上述したようなディスクドライブ装置の製造方法を提供することである。
【００２１】
【課題を解決するための手段】
上記課題を解決するために、本発明のディスクドライブ装置は：
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側から回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
クリアランス及び拡径部には接着剤が充填されている。
【００２２】
また、本発明のディスクドライブ装置は、
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側から回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
クリアランス及び拡径部には接着剤が充填されることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備える。
【００２３】
さらに、本発明のディスクドライブ装置の製造方法は：
ターンテーブルのボスの回転中心孔に挿入される回転シャフトの外周面の領域に接着剤を塗布する工程と、
ターンテーブルのボスの回転中心孔に回転シャフトの上記領域を挿入する工程と、
を備え、
前記挿入工程において、回転シャフトの上記領域に塗布されていた接着剤がボスの回転中心孔の内周面の上記他端面側によりボスの回転中心孔の内周面の前記一端面側の
クリアランスが接着剤により満たされるとともに、
クリアランスに満たされた接着剤がクリアランス内の空気を拡径部から外部空間に逃がしながら拡径部中に侵入し、
ターンテーブルのボスの回転中心孔の内周面の他端部側が回転中心孔に挿入された回転シャフトの外周面に嵌合されるとともに回転中心孔の内周面の他端部側のクリアランスを満たすとともにクリアランスから拡径部に侵入した接着剤により回転中心孔の内周面の他端部側及び拡径部が回転シャフトに接着される。
【００２４】
【発明の実施の形態】
以下に、図３を参照して、本発明の一実施の形態に係るディスクドライブ装置について説明する。なお図３の（Ａ）は、本発明の一実施の形態に係るディスクドライブ装置の概略的な縦断面図であり；そして、図３の（Ｂ）は、図３の（Ａ）の３Ｂ−３Ｂ線に沿う水平断面図である。
【００２５】
図３の（Ａ）及び（Ｂ）に示すディスクドライブ装置５０は、一端面にボス５２を有しており他端面にディスク状媒体５４を同心的に支持した円盤状のターンテーブル５６と、ターンテーブル５６のボス５２に同心的に固定されターンテーブル５６を回転させる回転シャフト５８と、を有する。
【００２６】
回転シャフト５８はモーター６０の出力軸である。ディスク状媒体５４を回転させるときには、図示されていないクランプが図３の（Ａ）において上方から下降してきて、ターンテーブル５６の他端面上にディスク状媒体５４を押圧し、上記他端面との間にディスク状記録媒体５４を挟持する。本実施の形態では、ディスク状記録媒体５４は、ディスク状光記録媒体の一種であるＤＶＤであるが、この発明の理念に従えばＣＤであることも出来る。
【００２７】
回転シャフト５８は、ターンテーブル５６の回転中心線に沿い形成された回転中心孔６２に挿入されて固定されている。より詳細には、回転中心孔６２の内周面の他端面側は回転中心孔６２に挿入されている回転シャフト５８の外周面が圧入され嵌合される嵌合部６２ａとして形成されており、上記内周面の一端面側は回転中心孔６２に挿入されている回転シャフト５８の外周面から半径方向に所定距離離間し回転シャフト５８の外周面に沿って円周方向に連続したクリアランス６２ｂを創出するよう形成されているとともに、上記一端面側はそのすくなくとも一部に外部空間に開口した拡径部６２ｃを有している。
【００２８】
この実施の形態においてクリアランス６２ｂは、上記半径方向に約５０ミクロンの幅を有する。また拡径部６２ｃはボス５２の外周面まで貫通しているとともにボス５２の端面に開口したスリットにより構成されている。
【００２９】
拡径部６２ｃは、図３の（Ｂ）に示すように、回転中心孔６２の円周方向に互いに等しい距離、この実施の形態では１２０°、離間して配置されている。スリット６２ｂ及び拡径部６２ｃには接着剤６４、この実施の形態ではＵＶ硬化性を有する瞬間接着剤、が充填されて硬化している。スリット６２ｂ及び拡径部６２ｃ内で硬化している接着剤は、回転シャフト５８の外周面とスリット６２ｂの内周面及び拡径部６２ｃの内表面を相互に接着している。このＵＶ硬化性を有する瞬間接着剤は、例えば日本国のスリーボンド株式会社製の商品名「ＴＢ１７７３シリーズ」である。
【００３０】
回転シャフト５８には、ボス５２の端面におけるクリアランスの開口及び拡径部６２ｃの開口に対向してテーブル座部６６が固定されていて、テーブル座部６６はワッシャにより構成されている。は、例えばポリエチレンテレフタラート（ＰＥＴ）からなっている。テーブル座部６６は、ボス５２の端面に隣接して配置されていて、上記端面におけるクリアランス６２ｂ及び拡径部６２ｃの開口を閉塞している。この結果として、テーブル座部６６は、上記開口に露出している接着剤６４により、ボス５２の端面に接着されている。
【００３１】
上述した実施の形態では、ターンテーブル５６のボス５２の回転中心孔６２の内周面の一端部側と回転シャフト５８の外周面との間の狭い幅のクリアランス６２ｂ内に充填された接着剤６４が硬化することによって、ターンテーブル５６のボス５２の回転中心孔６２の内周面の一端部側と回転シャフト５８の外周面とが強固に接着されている。また、回転シャフト５８の外周面はターンテーブル５６のボス５２の回転中心孔６２の内周面の一端部側の拡径部６２ｃの内表面とも接着剤６４を介して接着されている。さらに、ターンテーブル５６のボス５２の端面と回転シャフト５８の外周面に固定されているテーブル座部６６とが、上記端面におけるクリアランス６２ｂ及び拡径部６２ｃの開口に露出している接着剤６４により接着されている。
【００３２】
従って、本実施の形態に係るディスクドライブ装置５０は、回転シャフト５８の回転に伴ないターンテーブル５６に対し負荷される回転トルクに対して、高い強度を有している。
【００３３】
さらに、本実施の形態に係るディスクドライブ装置５０においては、ターンテーブル５６のボス５２の端面と回転シャフト５８の外周面に固定されているテーブル座部６６とが、上記端面におけるクリアランス６２ｂ及び拡径部６２ｃの開口に露出している接着剤６４により接着されているので、上述したような図示されていないクランプによりターンテーブル５６に対しターンテーブル５６の他端面側から一端面側に向かい回転中心孔６２の回転中心線に沿い負荷される押圧力に対する強度が強化されている。
【００３４】
次に、図４を参照して、上記ディスクドライブ装置５０の製造方法について説明する。まず、図４の（Ａ）中に示されている如く、テーブル座部６６を回転シャフト５８の外周面の所定の位置に配置する。この所定の位置は、テーブル座部６６が上記外周面上において最終的に固定される位置よりも回転シャフト５８の先端側に少しずれている。このような配置は、テーブル座部６６の中心孔に対する回転シャフト５８の摩擦係合により達成される。
【００３５】
次に接着剤６４が、回転シャフト５８の外周面においてターンテーブル５６のボス５２の回転中心孔６２中に挿入される領域に塗布される。接着剤５４は、本実施の形態においては、ＵＶ硬化性を有する瞬間接着剤を用いている。
【００３６】
次に、図４の（Ｂ）中に示されている如く、ターンテーブル５６のボス５２の回転中心孔６２中に回転シャフト５８を挿入する。これにより、ターンテーブル５６のボス５２の回転中心孔６２の内周面において一端面側に形成されているクリアランス６２ｂ内へ接着剤５４が導入され満たされるとともに、クリアランス６２ｂ内の空気を拡径部６２ｃから外部空間に逃がしながら接着剤５４が拡径部６２ｃ中にも侵入する。同時に接着剤５４はターンテーブル５６のボス５２の端面により上記端面に対向しているテーブル座部６６上にも押し広げられる。
【００３７】
上記挿入がさらに続けられると、図４の（ｃ）中に示されている如く、ターンテーブル５６のボス５２の端面は、テーブル座部６６上に押し広げられた接着剤５４を介して実質的にテーブル座部６６と当接し、ターンテーブル５６とテーブル座部６６とが回転シャフト５８の外周面上を一体的に移動して図４の（Ｄ）中に示されている所定の最終的な固定位置に到達する。この固定位置において、ターンテーブル５６のボス５２の回転中心孔６２ａの内周面の他端面側が回転シャフト５８の外周面に押し込まれたことによって圧入されて嵌合により固定され、また上記内周面の一端部側のクリアランス６２ｂ及び拡径部６２ｃに侵入した接着剤６４により上記内周面の一端部側及び拡径部６２ｃが回転シャフト５８の外周面に固定され、さらにターンテーブル５６のボス５２の端面とテーブル座部６６との間に広がった接着剤６４によって、これらターンテーブル５６のボス５２の端面とテーブル座部６６も接着される。
【００３８】
接着剤６４は、瞬間接着性により硬化するとともに、ボス５２の半径方向の外方からボス５２の外周面における拡径部６２ｃの開口に向かいＵＶ照射して迅速に硬化させることが出来る。
【００３９】
次に、図５ないし図７を参照して、図３に示したこの発明の一実施の形態に従ったディスクドライブ装置５０の種々の変形例を説明する。なおこれらの変形例において、上記実施の形態と同じ構成部材には同じ参照符号を付して詳細な説明は省略する。
【００４０】
図５中に示されている第１の変形例のディスクドライブ装置５０’が図３中に示されている一実施の形態に従ったディスクドライブ装置５０と異なっているのは、ターンテーブル５６のボス５２の回転中心孔６２の内周面の一端部側にすくなくとも１つ形成されている拡径部６２ｃ’がボス５２の外周面まで貫通しておらずボス５２において拡径部６２ｃ’の径方向外端とボスの外周面との間の部分がボス５２の円周方向につながっていることである。
【００４１】
このような形状の拡径部６２ｃ’は、図３中に示されている一実施の形態に従ったディスクドライブ装置５０においては拡径部６２ｃがボス５２の外周面まで貫通している場合に比べると、ボス５２の構造上の強度を向上させている。
【００４２】
拡径部６２ｃ’は、図３中に示されている一実施の形態に従ったディスクドライブ装置５０の拡径部６２ｃと同様に、図５の（Ｂ）中に示すように、回転中心孔６２の円周方向に互いに等しい距離、この変形例では互いに１２０°、離間して複数形成されていることが出来る。
【００４３】
図６中に示されている第２の変形例のディスクドライブ装置５０’’が図３中に示されている一実施の形態に従ったディスクドライブ装置５０と異なっているのは、ターンテーブル５６のボス５２の回転中心孔６２の内周面の一端部側にすくなくとも１つ形成されている拡径部６２ｃ’’がボス５２の外周面まで貫通しているがボス５２の端面には開口していない管状をしていることである。
【００４４】
このような形状の拡径部６２ｃ’’は、図３中に示されている一実施の形態に従ったディスクドライブ装置５０においては拡径部６２ｃがボス５２の外周面まで貫通しているとともにボス５２の端面に開口している場合に比べると、ボス５２の構造上の強度を向上させている。
【００４５】
しかも、拡径部６２ｃ’’がボス５２の外周面に開口しているので、ボス５２の回転中心孔６２の内周面の一端部側のクリアランス６２ｂとともに拡径部６２ｃ’’中に侵入し充填される接着剤６４としてＵＶ硬化性を有する接着剤を用いた場合であっても、ＵＶ硬化性を有する接着剤の硬化促進のためにボス５２の半径方向の外方からボス５２の外周面における開口にＵＶ照射することができる。
【００４６】
拡径部６２ｃ’’もまた、図３中に示されている一実施の形態に従ったディスクドライブ装置５０の拡径部６２ｃと同様に、図６の（Ｂ）中に示すように、回転中心孔６２の円周方向に互いに等しい距離、この変形例では互いに１２０°、離間して複数形成されていることが出来る。
【００４７】
図７中に示されている第３の変形例のディスクドライブ装置５０’’’が図３中に示されている一実施の形態に従ったディスクドライブ装置５０と異なっているのは、ターンテーブル５６のボス５２の回転中心孔６２の内周面の一端部側にすくなくとも１つ形成されている拡径部６２ｃ’’’がボス５２の外周面まで貫通しているがボス５２の端面には開口していない管状をしていることであることに加え、上記内周面の一端部側からボス５２の外周面に向うにつれてその開口面積を徐々に増大させていることである。
【００４８】
このような形状の拡径部６２ｃ’’’は、図３中に示されている一実施の形態に従ったディスクドライブ装置５０においては拡径部６２ｃがボス５２の外周面まで貫通しているとともにボス５２の端面に開口している場合に比べると、ボス５２の構造上の強度を向上させている。
【００４９】
しかも、図６中に示されている第２の変形例のディスクドライブ装置５０’’のボス５２の外周面における拡径部６２ｃ’’の開口面積に比べ、ボス５２の外周面における拡径部６２ｃ’’’の開口面積が大きいので、ボス５２の回転中心孔６２の内周面の一端部側のクリアランス６２ｂとともに拡径部６２ｃ’’’中に侵入し充填される接着剤６４としてＵＶ硬化性を有する接着剤を用いた場合であっても、ＵＶ硬化性を有する接着剤の硬化促進のためにボス５２の半径方向の外方からボス５２の外周面における開口にＵＶ照射した時にさらに硬化を促進させることができる。
【００５０】
拡径部６２ｃ’’’もまた、図３中に示されている一実施の形態に従ったディスクドライブ装置５０の拡径部６２ｃと同様に、図７の（Ｂ）中に示すように、回転中心孔６２の円周方向に互いに等しい距離、この変形例では互いに１２０°、離間して複数形成されていることが出来る。
【００５１】
尚、拡径部６２ｃは、上記変形例に限らず、ターンテーブル５６に必要とされる強度や寸法精度、用いる接着剤６４の種類、並びに製造時に必要とされる機能、すなわち接着剤がクリアランス６２ｂ中に充填されるにしたがってクリアランス６２ｂ内の空気を外部空間に逃がす機能、接着剤６４としてＵＶ硬化性を有する接着剤を使用した場合に必要となるＵＶ照射のための光路の確保等の要望に応じて変形されてよい。
【００５２】
さらに、上述したこの発明の一実施の形態に従ったディスクドライブ装置５０や第１乃至第３の変形例に従ったディスクドライブ装置５０’，５０’’，そして５０’’’を、例えばＤＶＤやＣＤの如きディスク状光記録媒体の記録層からの情報の再生や、場合によっては上記記録層に対する情報の記録も行なう、ディスク状光記録媒体ピックアップ装置において使用する場合には、さらにディスクドライブ装置５０，５０’，５０’’，そして５０’’’のターンテーブル５６の他端面に支持されて回転されているディスク状光記録媒体の信号記録層に記録されている信号を光ビームを使用して読み取る信号読み取り装置と；そして、信号読み取り装置により読み取られた信号から信号に対応する情報を再生する情報再生装置と；がさらに必要になる。
【００５３】
【発明の効果】
以上詳述したことから明らかなように、この発明に従ったディスクドライブ装置によれば、ターンテーブルに対しディスク状媒体を支持している一端面側から他他面側に向かい回転シャフトの回転中心線に沿い負荷される力に対し従来よりも強い抵抗力を長期間に渡り発揮することが出来るとともに、回転シャフトの回転に伴ない回転シャフトの外周面とターンテーブルのボスの回転中心孔の内周面との間に生じる回転トルクに対しても長期間に渡り強い抵抗力を発揮することができ、しかも回転シャフトの外周面とターンテーブルのボスの回転中心孔の内周面との間に所望の接着強度を常に確実に得ることが出来る。
【図面の簡単な説明】
【図１】図１の（Ａ）は、従来のディスクドライブ装置の概略的な縦断面図であり；図１の（Ｂ）は、図１の（Ａ）の線１Ｂ−１Ｂに沿った水平断面図である。
【図２】図２の（Ａ）は、もう１つの従来のディスクドライブ装置の概略的な縦断面図であり；図２の（Ｂ）は、図２の（Ａ）の線２Ｂ−２Ｂに沿った水平断面図である。
【図３】図３の（Ａ）は、本発明の一実施の形態に係るディスクドライブ装置の概略的な縦断面図であり；図３の（Ｂ）は、図３の（Ａ）の線３Ｂ−３Ｂに沿った水平断面図である。
【図４】（Ａ）乃至（Ｄ）は、図３のディスクドライブ装置の製造方法の各段階を概略的に示す縦断面図である。
【図５】図５の（Ａ）は、本発明に係るディスクドライブ装置の第１の変形例の概略的な縦断面図であり；図５の（Ｂ）は、図５の（Ａ）の線５Ｂ−５Ｂに沿った水平断面図である。
【図６】図６の（Ａ）は、本発明に係るディスクドライブ装置の第２の変形例の概略的な縦断面図であり；図６の（Ｂ）は、図６の（Ａ）の線６Ｂ−６Ｂに沿った水平断面図である。
【図７】図７の（Ａ）は、本発明に係るディスクドライブ装置の第３の変形例の概略的な縦断面図であり；図７の（Ｂ）は、図７の（Ａ）の線７Ｂ−７Ｂに沿った水平断面図である。
【符号の説明】
５０，５０’，５０’’，５０’’’…ディスクドライブ装置、５２…ボス、５４…ディスク状媒体、５６…ターンテーブル、  ５８…回転シャフト、６２…回転中心孔、６２ａ…内周面、６２ｂ…クリアランス、６２ｃ，６２ｃ’，６２ｃ’’，６２ｃ’’’…拡径部、６４…接着剤、６６…テーブル座部
【図１】
2004213715.tif 000003
【図２】
2004213715.tif 000004
【図３】
2004213715.tif 000005
【図４】
2004213715.tif 000006
【図５】
2004213715.tif 000007
【図６】
2004213715.tif 000008
【図７】
2004213715.tif 000009
【手続補正書】
【提出日】平成16年2月2日(2004.2.2)
【手続補正１】
【補正対象書類名】明細書
【補正対象項目名】特許請求の範囲
【補正方法】変更
【補正の内容】
【特許請求の範囲】
【請求項１】
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
前記拡径部は、ボスの外周面まで貫通しているとともに，ボスの端面にも開口しているスリットであり、
クリアランス及び拡径部には接着剤が充填されている、ことを特徴とするディスクドライブ装置。
【請求項２】
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
前記拡径部は、ボスの外周面まで貫通しているとともに，ボスの端面にも開口しているスリットであり、
クリアランス及び拡径部には接着剤が充填されていて、
前記回転シャフトに固定されたターンテーブルのボスの端面に隣接して配置され、前記端面におけるクリアランス及びスリットの開口を閉塞するワッシャーが回転シャフトに備えられている、ことを特徴とするディスクドライブ装置。
【請求項３】
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
クリアランス及び拡径部には接着剤が充填されることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備えることを特徴とするディスクドライブ装置。
【請求項４】
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
クリアランス及び拡径部には接着剤が充填され、
前記回転シャフトに固定されたターンテーブルのボスの端面に隣接して配置され、前記端面におけるクリアランス及びスリットの開口を閉塞するワッシャ−が回転シャフトに備えられている、ることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備えることを特徴とするディスクドライブ装置。
【請求項５】
一端面にボスを有し他端面にディスク状媒体を同心的に支持するターンテーブルのボスの一端面側からボスに向かって回転中心孔に挿入される回転シャフトの外周面の領域に接着剤を塗布する工程と、
ターンテーブルのボスの一端面側からボスに向かって回転中心孔に回転シャフトの上記領域を挿入する工程と、
を備え、
回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
前記挿入工程において、回転シャフトの上記領域に塗布されていた接着剤がボスの回転中心孔の内周面の上記他端面側の嵌合部によりボスの回転中心孔の内周面の前記一端面側のクリアランスが接着剤により満たされるとともに、
クリアランスに満たされた接着剤がクリアランス内の空気を拡径部から外部空間に逃がしながら拡径部中に侵入し、
ターンテーブルのボスの回転中心孔の内周面の他端部側の嵌合部が回転中心孔に挿入された回転シャフトの外周面に嵌合されるとともに、回転中心孔の内周面の一端部側のクリアランスを満たすとともにクリアランスから拡径部に侵入した接着剤により回転中心孔の内周面の一端部側及び拡径部が回転シャフトに接着される、ことを特徴とするディスクドライブ装置の製造方法。
【請求項６】
前記接着剤は瞬間接着剤である、ことを特徴とする請求項５に記載のディスクドライブ装置の製造方法。
【請求項７】
前記接着剤はＵＶ硬化性を有する、ことを特徴とする請求項５に記載のディスクドライブ装置の製造方法。
【請求項８】
回転シャフトが、一端面にボスを有し他端面にディスク状媒体を同心的に支持するターンテーブルのボスの一端面側からボスに向かってボスの回転中心孔に挿入される回転シャフトの外周面の領域において上記挿入時の回転シャフトの先端とは反対側に位置する上記領域の端から先端側にずれた位置で回転シャフトにワッシャーを摩擦係合する工程と、
回転シャフトの外周面の上記領域に接着剤を塗布する工程と、
ターンテーブルのボスの一端面側から回転中心孔に下方から回転シャフトの上記領域を挿入する工程と、
を備え、
回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
前記挿入工程において、回転シャフトの上記領域に塗布されていた接着剤がボスの回転中心孔の内周面の上記他端面側の嵌合部によりボスの回転中心孔の内周面の前記一端面側のクリアランスが接着剤により満たされるとともに、
クリアランスに満たされた接着剤がクリアランス内の空気を拡径部から外部空間に逃がしながら拡径部中に侵入し、
さらに、ボスの端面がワッシャーを回転シャフトの外周面の上記領域の端に向かい移動させ、
ターンテーブルのボスの回転中心孔に対する回転シャフトの外周面の上記領域の挿入後に、ターンテーブルのボスの回転中心孔の内周面の他端部側の嵌合部が回転中心孔に挿入された回転シャフトの外周面に嵌合されるとともに、回転中心孔の内周面の一端部側のクリアランスを満たすとともにクリアランスから拡径部に侵入した接着剤により回転中心孔の内周面の一端部側及び拡径部が回転シャフトに接着され、
ワッシャーがボスの上記端面における上記クリアランス及び拡径部の開口に露出した接着剤によってボスの端面に接着される、
ことを特徴とするディスクドライブ装置の製造方法。
【手続補正２】
【補正対象書類名】明細書
【補正対象項目名】００２１
【補正方法】変更
【補正の内容】
【００２１】
【課題を解決するための手段】
上記課題を解決する為に、本発明のディスクドライブ装置は：
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
前記拡径部は、ボスの外周面まで貫通しているとともに，ボスの端面にも開口しているスリットであり、
クリアランス及び拡径部には接着剤が充填されている。
上記課題を解決する為に、本発明のディスクドライブ装置はまた：
一端面にボスを有し、他端面にディスク状媒体を同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から半径方向に所定距離離間し回転シャフトの外周面に沿って円周方向に連続したクリアランスを創出するよう形成され、前記内周面の一端面側の一部は外部空間に開口した拡径部を有し、
前記拡径部は、ボスの外周面まで貫通しているとともに，ボスの端面にも開口しているスリットであり、
クリアランス及び拡径部には接着剤が充填されていて、
前記回転シャフトに固定されたターンテーブルのボスの端面に隣接して配置され、前記端面におけるクリアランス及びスリットの開口を閉塞するワッシャーが回転シャフトに備えられている。
【手続補正３】
【補正対象書類名】明細書
【補正対象項目名】００２２
【補正方法】変更
【補正の内容】
【００２２】
また、本発明のディスクドライブ装置は：
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
クリアランス及び拡径部には接着剤が充填されることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備える。
さらに、本発明のディスクドライブ装置は：
一端面にボスを有し、信号記録層を有するディスク状光記録媒体を他端面に同心的に支持するターンテーブルと、
ターンテーブルのボスが同心的に固定されターンテーブルを回転させる回転シャフトと、
を具備し、
ボスには一端面側からボスに向かって回転シャフトが挿入される回転中心孔が形成され、回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
クリアランス及び拡径部には接着剤が充填され、
前記回転シャフトに固定されたターンテーブルのボスの端面に隣接して配置され、前記端面におけるクリアランス及びスリットの開口を閉塞するワッシャーが回転シャフトに備えられている、ることを特徴とするディスク状光記録媒体回転装置と；
ディスク状光記録媒体回転装置のターンテーブルに支持されて回転されているディスク状光記録媒体の信号記録層に記録されている信号を光ビームを使用して読み取る信号読み取り装置と；
信号読み取り装置により読み取られた信号から信号に対応する情報を再生する情報再生装置と；
を備える。
【手続補正４】
【補正対象書類名】明細書
【補正対象項目名】００２３
【補正方法】変更
【補正の内容】
【００２３】
さらに、本発明のディスクドライブ装置の製造方法は：
一端面にボスを有し他端面にディスク状媒体を同心的に支持するターンテーブルのボスの一端面側からボスに向かって回転中心孔に挿入される回転シャフトの外周面の領域に接着剤を塗布する工程と、
ターンテーブルのボスの一端面側からボスに向かって回転中心孔に回転シャフトの上記領域を挿入する工程と、
を備え、
回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
前記挿入工程において、回転シャフトの上記領域に塗布されていた接着剤がボスの回転中心孔の内周面の上記他端面側の嵌合部によりボスの回転中心孔の内周面の前記一端面側のクリアランスが接着剤により満たされるとともに、
クリアランスに満たされた接着剤がクリアランス内の空気を拡径部から外部空間に逃がしながら拡径部中に侵入し、
ターンテーブルのボスの回転中心孔の内周面の他端部側の嵌合部が回転中心孔に挿入された回転シャフトの外周面に嵌合されるとともに、回転中心孔の内周面の他端部側のクリアランスを満たすとともにクリアランスから拡径部に侵入した接着剤により回転中心孔の内周面の他端部側及び拡径部が回転シャフトに接着される、
本発明のディスクドライブ装置の製造方法はまた：
回転シャフトが一端面にボスを有し他端面にディスク状媒体を同心的に支持するターンテーブルのボスの一端面側からボスに向かってボスの回転中心孔に挿入される回転シャフトの外周面の領域において上記挿入時の回転シャフトの先端とは反対側に位置する上記領域の端から先端側にずれた位置で回転シャフトにワッシャーを摩擦係合する工程と、
回転シャフトの外周面の上記領域に接着剤を塗布する工程と、
ターンテーブルのボスの一端面側から回転中心孔に下方から回転シャフトの上記領域を挿入する工程と、
を備え、
回転中心孔の内周面の他端面側は回転中心孔に挿入された回転シャフトの外周面が嵌合する嵌合部として形成され、内周面の一端面側は回転中心孔に挿入された回転シャフトの外周面から所定距離離間し回転シャフトの外周面に沿って円周方向に連続したクリアランスを創出するよう形成されているとともに、前記内周面の一端面側はその少なくとも一部に外部空間に開口した拡径部を有していて、
前記拡径部は、ボスの外周面まで貫通しているとともに，ボスの端面にも開口しているスリットであり、
前記挿入工程において、回転シャフトの上記領域に塗布されていた接着剤がボスの回転中心孔の内周面の上記他端面側の嵌合部によりボスの回転中心孔の内周面の前記一端面側のクリアランスが接着剤により満たされるとともに、
クリアランスに満たされた接着剤がクリアランス内の空気を拡径部から外部空間に逃がしながら拡径部中に侵入し、
さらに、ボスの端面がワッシャーを回転シャフトの外周面の上記領域の端に向かい移動させ、
ターンテーブルのボスの回転中心孔に対する回転シャフトの外周面の上記領域の挿入後に、ターンテーブルのボスの回転中心孔の内周面の他端部側の嵌合部が回転中心孔に挿入された回転シャフトの外周面に嵌合されるとともに、回転中心孔の内周面の他端部側のクリアランスを満たすとともにクリアランスから拡径部に侵入した接着剤により回転中心孔の内周面の他端部側及び拡径部が回転シャフトに接着され、
ワッシャーがボスの上記端面における上記クリアランス及び拡径部の開口に露出した接着剤によってボスの端面に接着される。